(57)【要約】【課題】  グランド電極のシャフトに電極網を取り付け、取り外しの複雑な手間を解消すること、交流電気分解されたミネラル等が、グランド電極のシャフトに付着するのを解消することなどである。【解決手段】  電極ユニットを構成する中心で垂直方向に有するシャフト３の外側に、間隔をおいて金属製パイプ４を、垂直方向に設け、このシャフトとこの金属製パイプとの間に、複数本の金属製板ばね５を間隔をおいて設け、電極ユニット１と金属製パイプとをシャフトから着脱自在に止着した還元水素水生成装置である。【選択図】図５
2015098638.tif 000002
【特許請求の範囲】
【請求項１】
電極ユニットと、電極ユニットの周囲に有する容器と、からなる還元水素水生成装置において、電極ユニットを構成する中心で垂直方向に有するシャフトの外側に、間隔をお  いて金属製パイプを、垂直方向に設け、該シャフトと該金属製パイプとの間に、複数本  の金属製板ばねを間隔をおいて設け、電極ユニットと金属製パイプとをシャフトから着  脱自在に止着したことを特徴とする還元水素水生成装置。
【請求項２】
電極ユニットが、シャフトと金属製パイプとの間の上部に、金属製板ばねで着脱自在に止着してなる請求項１の還元水素水生成装置。
【請求項３】
電極ユニットが、シャフトと金属製パイプとの間の下部に、金属製板ばねで着脱自在に止着してなる請求項１の還元水素水生成装置。
【請求項４】
電極ユニットが、シャフトと金属製パイプとの間の上下方向の中央部に、金属製板ばねで着説自在に止着してなる請求項１の還元水素水生成装置。
【請求項５】
電極ユニットが、電極プレートの上に密封して設置してなる請求項１の還元水素水生成装置。
【請求項６】
電極ユニットが、電極ユニットの周囲に有する容器の上面に、蓋を、設けてなる請求項１の還元水素水生成装置。
【請求項７】
金属製板ばねが、ステンレス製板ばねである請求項１の還元水素水生成装置。
【請求項８】
金属製板ばねが、チタン製板ばねである請求項１の還元水素水生成装置。
【請求項９】
金属製板ばねが、白金製板ばねである請求項１の還元水素水生成装置。
【請求項１０】
シャフトの上部が、下部より外径を小さくして段差を設け、該シャフト段差の上に金属製板ばねの下端を載置した請求項１の還元水素水生成装置。
【発明の詳細な説明】
【技術分野】
【０００１】    この発明は、天然水などの水を還元して水素入り水を生成する還元水素水生成装置に係わるものでる。
【背景技術】
【０００２】    従来より天然水、水道水などの水は、ミネラルなどが含有されているので、還元水素水生成装置は、水の交流電気分解を行う方法では、電極全体に被せる「電極網」を設けＱ装置において、グランド電極から電極網に給電する方式の還元水素水生成装置が一般に使用されている。
この還元水素水生成装置は、交流電気分解において、電極にプラスとマイナスとの電圧を掛けるけるので、両方の電極から水素と酸素が発生するとともにプラスとマイナスが交互にかわるので、水質は酸性又はアルカリ性に傾くことなく中性（ＰＨ７）で電気分解されるために、水が水素入りの水素水になります。【０００３】  この還元水素水生成装置は、中心にあるグランド電極のシャフトに「電極網」を着脱自在に取り付ける取付具としてネジが５４が使用されている（図１１図示）。
【発明の概要】
【発明が解決しようとする課題】
【０００４】  この従来の還元水素水生成装置は、グランド電極のシャフトに「電極網」を取付ける取付具としてネジを使用するために、グランド電極のシャフトの上端内側にネジ溝を設ける必要があるという問題点があったし、ネジ止めの際にはグランド電極のシャフトの上に「電極網」を被せてから、ネジをシャフトのネジ溝に合わせてネジを回転するという複雑で手間がかかるという問題点があったとともにシャフトから電極網を取外す際は、ネジを逆回転して取外すという複雑で手間がかかるという問題点があった。
更に、グランド電極のシャフトの周囲を覆う物体が存在しないためにシャフトのグランド電極に、交流電気分解されたミネラル等が、直接付着するために、グランド電極のシャフトと水との電気的接触が不良になる可能性があるという問題点があったとともに最悪の時は電気的接触が不良になるおそれがあるという問題点があった。【０００５】  この発明は、従来の還元水素水生成装置が有するこれらの問題点を解消することであり、グランド電極のシャフトに電極網を取り付け、取り外しの複雑な手間を解消し、交流電気分解されたミネラル等が、グランド電極のシャフトに付着するのをできるだけ解消することである。
【課題を解決するための手段】
【０００６】  電極ユニットを構成する中心で垂直方向に有するシャフトの外側に、間隔をおいて金属製パイプを、垂直方向に設け、このシャフトとこの金属製パイプとの間に、複数本の金属製板ばねを間隔をおいて設け、電極ユニットと金属製パイプとをシャフトから着脱自在に止着したものである。
【発明の効果】
【０００７】  この発明の還元水素水生成装置は、電極ユニットを構成する中心で垂直方向に有するシャフトの外側に、間隔をおいて金属製パイプを、垂直方向に設け、このシャフトとこの金属製パイプとの間に、複数本の金属製板ばねを間隔をおいて設け、電極ユニットと金属製パイプとをシャフトから着脱自在に止着したから、グランド電極のシャフトの外側に間隔をおいて金属製パイプを垂直方向に設けたことによりグランド電極のシャフトと金属製パイプとの間に、カルシュムなどのミネラルが付着するのを防止することかできるという効果があるとともにこのために、グランド電極のシャフトと水との電気的接触が良い状態で円滑に還元水素水生成を行うことができるという効果がある。
更に、シャフトとの金属製パイプとの間に複数本の金属製板ばねを間隔をおいて設けたことにより金属製パイプをシャフトの外側に挿入する際に、板ばねは径の内側に押されて引き伸ばされた状態で円滑で容易に挿入できるし、着脱自在に止着することができるという効果があるともに金属製パイプをシャフトの外側に挿入してこの装置を長期間使用して金属製パイプの外側に多量のミネラルなどが付着して清掃のため又は部品交換のために電極網と一体の金属製パイプを、シャフトより取り外す際は、板ばねによる着脱自在の止着であるので、円滑で容易に取り外すことができるという効果がある。【０００８】  請求項２の還元水素水生成装置は、電極ユニットが、シャフトと金属製パイプとの間の上部に、金属製板ばねで着脱自在に止着したから、比較的簡単に金属製パイプをシャフトに取り付けることかできるし、取り外しすることかできる。【０００９】  請求項３の還元水素水生成装置は、電極ユニットが、シャフトと金属製パイプとの間の下部に、金属製板ばねで着脱自在に止着したから、比較的簡単に金属製パイプをシャフトに取り付けることができるし、取り外すことができる。【００１０】  請求項４の還元水素水生成装置は、電極ユニットが、シャフトと金属製パイプとの間の上下方向の中央部に、金属製板ばねで着脱自在に止着したから、比較的簡単に金属製パイプをシャフトに取り付けることかできるし、取り外しすることかできる。【００１１】  請求項５の還元水素水生成装置は、電極ユニットが、電極プレートの上に蜜封した設置したから、電極ユニットを安定した状態で還元水素水生成装置を使用することかできる。【００１２】  請求項６の還元水素水生成装置は、電極ユニットが、電極ユニットの周囲に有する容器の上面に、蓋を、設けたから、容器に水を入れる際に、蓋を開けて容器に水を簡単に入れることかできるし、容器に入れた水が交流電気分解中などに容器の上から水が容器の上から外側に零れるおそれを防止できるという効果がある。更に、容器の上から容器の中の水に埃などの異物が入るのを防止することができる。【００１３】  請求項７の還元水素水生成装置は、金属製板ばねが、ステンレス製板ばねであるから、板ばねが長期間安定した状態で使用することかできるし、この生成装置の部品を清掃するために部品の金属パイプをシャフトから取り外す際に、ステンレス製板ばねにより円滑で簡単に取り外すことができるし、この生成装置の部品を清掃した後に、金属パイプをシャフトから取り付けるに、ステンレス製板ばねにより円滑で簡単に取り付けることができる。【００１４】  請求項８の還元水素水生成装置は、金属製板ばねが、チタン製板ばねであるから、板ばねが長期間安定した状態で使用することかできるし、この生成装置の部品を清掃するために部品の金属パイプをシャフトから取り外す際に、チタン製板ばねにより円滑で簡単に取り外すことができるし、この生成装置の部品を清掃した後に、金属パイプをシャフトから取り付けるに、チタン製板ばねにより円滑で簡単に取り付けることができる。【００１５】  請求項９の還元水素水生成装置は、金属製板ばねが、白金製板ばねであるから、板ばねが長期間安定した状態で使用することかできるし、この��成装置の部品を清掃するために部品の金属パイプをシャフトから取り外す際に、白金製板ばねにより円滑で簡単に取り外すことができるし、この生成装置の部品を清掃した後に、金属パイプをシャフトから取り付けるに、白金製板ばねにより円滑で簡単に取り付けることができる。【００１６】  請求項１０の還元水素水生成装置は、シャフトの上部が、下部より外径を小さくして段差を設け、該シャフト段差の上に金属製板ばねの下端を載置したから、シャフトの上部に設けた段差の上に、板ばねの下端を載せることができるので、板ばねは安定した状態で隙間から下方向に降下することを防止できるとともにパイプをシャフトの上部から挿入する際に、板ばねは降下しないためにパイプをシャフトの外側に円滑挿入することができる。
更に、パイプをシャフトから上方向に取り外す際も板ばねは降下せずに円滑に取り外すことができるし、板ばねにより装置全体を安定した状態で形状などを良く保持することができる。【００１７】
【図面の簡単な説明】
【００１８】
【図１】  本発明装置要部の正面図である。
【図２】  同じく平面図である。
【図３】  同じく縦断面図である。
【図４】  同じく取付け前の縦断面図である。
【図５】  同じく要部の縦断面図である。
【図６】  同じく要部の取付け前の正面図である。
【図７】  同じく別の要部の縦断面図である。
【図８】  同じく第２別の要部の縦断面図である。
【図９】  同じく第３別の要部の縦断面図である。
【図１０】  本発明装置に容器を取付けた正面図である。
【図１１】  従来装置要部の縦断面図である。
【発明を実施するための形態】
【００１９】  この還元水素水生成装置は、電極ユニットと、電極ユニットの周囲に有する容器と、からなる還元水素水生成装置において、電極ユニットを構成する中心で垂直方向に有するシャフトの外側に、間隔をおいて金属製パイプを、垂直方向に設け、このシャフトと該金属製パイプとの間に、複数本の金属製板ばねを間隔をおいて設け、電極ユニットと金属製パイプとをシャフトから着脱自在に止着したものである。
【実施例１】
【００２０】  この還元水素水生成装置は、電極ユニット１を、電極プレート２の上に設ける（図１と図２図示）。
この電極ユニット１に、図３図示のように、金属製シャフト３を、電極ユニットの中心で垂直方向に設け、この金属製シャフトの上部が下部より外径を小さくした段差３´を設ける。
この金属製シャフトの外側に、間隔をおいて金属製パイプ４を、垂直方向に設け、この金属製シャフトの上部の外径を小さくした段差部分の外側周囲と金属製パイプとの間に、６個のステンレスの金属製板ばね５を、垂直方向に設ける。
この６個のステンレスの金属製板ばね５は、金属製板ばねの下部だけ又は下部と上部とで相互に連結すると良い。
なお、この実施例１では、金属製板ばねが、ステンレス製のものについて説明したが、ステンレスに代えて、チタン、白金の金属製板ばねが良い。【００２１】  この実施例１の金属製シャフト３（グランド電極）を、金属製電極網６を一体にした金属製パイプ４をシャフト（グランド電極）の上部から下部に挿入すると、シャフトの上部に設けた金属製板ばね５は、内側へと押されながら、パイプはシャフトの下方向に移動してパイプはシャフトに板ばねで着脱自在に止着される。
この装置を長期間使用すねことによりパイプの外側や電極網などにミネラルなどが付着して洗浄する時は、パイプを電極網とともに装置の上方に引き上げることにより、板ばねで着脱自在に止着されているパイプより取り外して洗浄する。【００２２】  この実施例１の装置を実際に使用する時は、図１０に図示したように、容器４１を容器載せ台４２の上に載せる。
容器４１の中に水を入れる時は、容器の上の蓋を開けて容器に水をいれてから、装置に交流電気のスイッチを入れて使用する。
【実施例２】
【００２３】  実施例２は、実施例１と異なる構成として図７に図示のように、金属製シャフト１３が上部から下部まで同じ太さの外径にし、このシャフトの上部と金属製パイプ１４との隙間に、複数本からる金属製板ばね１５を、設けた還元水素水生成装置である。
なお、板ばねが所定の位置より下方向に降下しないようにシャフトの所定の位置にリング状などの板ばね用停止突起１６をシャフトの外側に設けると良い。
【実施例３】
【００２４】  実施例３は、実施例１と異なる構成として図８に図示のように、金属製シャフト２３が上部から下部まで同じ太さの外径にし、このシャフトの下部と金属製パイプ２４との隙間に、複数本からる金属製板ばね２５を、設けた還元水素水生成装置である。
なお、板ばねが所定の位置より下方向に降下しないようにシャフトの所定の位置にリング状などの板ばね用停止突起２６をシャフトの外側に設けると良いが、板ばねの下端を装置の上端まで下げる時は、板ばね用停止突起を設ける必要はない。
【実施例４】
【００２５】  実施例４は、実施例１と異なる構成として図９に図示のように、金属製シャフト３３が上部から下部まで同じ太さの外径にし、このシャフトの中間部に金属製パイプ３４との隙間に、複数本からる金属製板ばね３５を、設けた還元水素水生成装置である。
なお、板ばねが所定の位置より下方向に降下しないようにシャフトの所定の位置にリング状などの板ばね用停止突起３６をシャフトの外側に設けると良い。
【符号の説明】
【００２６】    １  電極ユニット
２  電極プレート
３  金属製シャフト
３´  段差
４  金属製パイプ
５  金属製板ばね
６  電極網
【図１】
2015098638.tif 000003
【図２】
2015098638.tif 000004
【図３】
2015098638.tif 000005
【図４】
2015098638.tif 000006
【図５】
2015098638.tif 000007
【図６】
2015098638.tif 000008
【図７】
2015098638.tif 000009
【図８】
2015098638.tif 000010
【図９】
2015098638.tif 000011
【図１０】
2015098638.tif 000012
【図１１】
2015098638.tif 000013